(57)【要約】      （修正有）【課題】メンテナンスやその管理がし易い空調設備機器の配管装置を提供する。【解決手段】空調設備機器の配管装置１０であって、冷温水配管、空調用補給水配管、空調ドレン管、冷媒管及び空調ダクト管の少なくても１つの金属製の配管１５の外周面に他の配管と色分けされた識別ラベル１１が貼付され、識別ラベル１１には携帯端末から読み込み可能な識別コード１２が表示されるとともに、識別コード１２を読み込むことで特定されるアドレス情報に基づいて携帯端末が情報提供サーバにアクセスしたとき、それぞれの色に対応した配管系図が表示される。【選択図】図１
0003213299.tif 000002
【実用新案登録請求の範囲】
【請求項１】
空調設備機器の配管装置であって、冷温水配管、空調用補給水配管、空調ドレン管、冷媒管及び空調ダクト管の少なくても１つにその外周面に他の配管と色分けされた識別ラベルが貼付され、前記識別ラベルには携帯端末から読み込み可能な識別コードが表示されるとともに、前記識別コードを読み込むことで特定されるアドレス情報に基づいて前記携帯端末が情報提供サーバにアクセスしたとき、それぞれの色に対応した配管系図が表示されることを特徴とする空調設備機器の配管装置。
【請求項２】
請求項１記載の空調設備機器の配管装置において、前記識別ラベルに、それぞれに対応する配管内の空気又は液体の流れる方向が矢印記号で記載されていることを特徴とする空調設備機器の配管装置。
【請求項３】
請求項１又は２記載の空調設備機器の配管装置において、前記識別コードはＱＲコード（登録商標）あることを特徴とする空調設備機器の配管装置。
【考案の詳細な説明】
【技術分野】
【０００１】
この考案は、空調設備機器の配管装置に関する。
【背景技術】
【０００２】
従来、設備機器のシステムにおいて、そのシステムに使用する種々の設備機器の仕様書や取り扱い説明書の管理が大変なので、それぞれの設備機器（ここでは消防用設備機器）に識別コードを付与したシートを貼り、そのアドレス情報によりネットのサイトにアクセスすることにより、その仕様書や取り扱い説明書を閲覧することが出来ていた。また、そのような技術は、特許文献１に記載されたものもあった。
【先行技術文献】
【特許文献】
【０００３】
【特許文献１】特開２０１５−０７６８６９号
【考案の概要】
【考案が解決しようとする課題】
【０００４】
本考案が解決しようとする課題は、空調設備機器において、配管設備のメンテナンスを容易にする配管装置を提供することを目的としている。
【課題を解決するための手段】
【０００５】
前記目的に沿う第一の考案に係る空調設備機器の配管装置は、空調設備機器の配管装置であって、冷温水配管、空調用補給水配管、空調ドレン管、冷媒管及び空調ダクト管の少なくても１つにその外周面に他の配管と色分けされた識別ラベルが貼付され、前記識別ラベルには携帯端末から読み込み可能な識別コードが表示されるとともに、前記識別コードを読み込むことで特定されるアドレス情報に基づいて前記携帯端末が情報提供サーバにアクセスしたとき、それぞれの配管の色に対応した配管系図が表示される。
【０００６】
その結果、他の配管と色で区別された配管に識別ラベルが貼付され、その識別ラベルの識別コードを携帯端末で読み込むことで、それぞれの配管の色に対応した配管系図を表示することができる。その結果、空調設備機器の竣工後のメンテナンスや取り扱いが容易にできる。
【０００７】
前記目的に沿う第二の考案に係る空調設備機器の配管装置は、前記識別ラベルに、それぞれに対応する配管内の空気又は液体の流れる方向が矢印記号で記載されている。
【０００８】
その結果、識別ラベルに配管内の空気や液体の流れ方向の矢印記号を記載することで、配管内の流れを認識することができ、メンテナンスや取り扱いがさらに容易にできる。
【０００９】
前記目的に沿う第三の考案に係る空調設備機器の配管装置は、前記識別コードはＱＲコード（登録商標）ある。
【００１０】
その結果、端末機器に普及しているＱＲコード（登録商標）の読み取りソフトが使えるので、普及した携帯端末が使用できてメンテナンス時の利便性が向上する。
【考案の効果】
【００１１】
第一から第三の考案に係る空調設備機器の配管装置においては、配管に貼付された識別コードよりネットのサーバにアクセスし、それぞれの配管の色に対応した配管系図を表示でき、竣工後のメンテナンスや管理が容易にできるようになる。
【図面の簡単な説明】
【００１２】
【図１】本考案を一実施の形態である空調設備機器の配管装置の説明図である。
【図２】（ａ）、（ｂ）はそれぞれ、同空調設備機器の配管装置の色別の識別ラベルの説明図である。
【図３】同空調設備機器の配管装置の配管系統図である。
【考案を実施するための形態】
【００１３】
本考案の実施例を図１〜図３に示す図に基づいて説明する。
図１に示すように、本考案の一実施の形態にかかる空調設備機器の配管装置１０は、金属製の配管１５に、緑色の薄い樹脂製（塩化ビニル）の識別ラベル１１が貼付されている。そして、その識別ラベル１１の右下部には、該当する図面のＵＲＬ（ネット上の番地）が記載された識別コード１２（ここでは、ＱＲコード（登録商標））が印刷されている。また、識別ラベル１１の中央上部には、配管１５の内部の空気の流れ方向を示している矢印記号１３が付されている。ここでは、空気の流れが下方から上方に流れていく状態を示している。また、識別ラベル１１の中央下部には、配管の機能の名称として配管名称１４が記載されている。ここで、ＥＡは、排気ダクトの略称であり、他に、ＳＡは給気ダクト、ＲＡは還気ダクト、ＯＡは外気ダクト等と略称で示される。
【００１４】
次に、本考案の一実施の形態にかかる空調設備機器の配管装置１０の色別の識別ラベルの詳細について、図２（ａ）、（ｂ）を用いて説明する。図２（ａ）に示すように、空調設備機器の配管装置１０に用いられる黄色の識別ラベル２１は、その識別ラベル２１の右端部には、該当する図面のＵＲＬ（ネット上の番地）が記載された識別コード２２（ここでは、ＱＲコード（登録商標））が印刷されている。また、識別コード２２の下方には、アクセスして表示される表示図面名称２４として“補給水配管系統図”と記載されている。さらに、識別ラベル２１の中央部には、配管名称２４として“空調用補給水配管”と記載されている。貼付される配管内の水の流れ方向を示す矢印記号２３が、識別ラベル２１の左端部に付されている。ここでは、補給水の流れが左方向から右方向へ流れていく状態を示している。また、この識別ラベル２１は、地面に対し水平方向の配管に貼付される。
【００１５】
そして、図２（ｂ）に示すように、この緑色の識別ラベルは、地面に対し垂直方向の配管に貼付される。図２（ａ）で説明したと同様に、配管名称、識別コード、矢印記号、表示図面名称が記載されている。
【００１６】
あと、本考案の一実施の形態にかかる空調設備機器の配管装置の配管系統図の詳細について、図３を用いて説明する。空調設備機器の管理者や点検員が、配管装置の配管系統図を確認したいとき、管理者等は、携帯端末（タブレットやスマートフォン）やノートパソコンのカメラ機能で、識別ラベル１１の識別コード１２（ＱＲコード（登録商標））を撮影すると、読込ソフトによって、ＵＲＬ情報を認識する。そして、ＵＲＬ情報は、サーバに蓄積されている配管系統図のデータにアクセスするためのＵＲＬ情報であり、携帯端末等からインターネットを経由してサーバのＵＲＬ情報を自動的に取得して、携帯端末にその図面を表示する。
【００１７】
また、ここでは識別コード１２（ＱＲコード（登録商標））は、ＱＲコード（登録商標）により携帯端末から図面に直接アクセスしたが、そのＱＲコード（登録商標）をより表示されたフロントページへ飛んで、その中のフロント画面から適宜選択するなどして、フロント画面から、配管毎に色分けされた色に基づいて、必要な配管系統の図面を表示させてもよい。
【００１８】
以上、本考案の実施例を説明したが、本考案はこの実施例に限定されるものではなく、要旨を逸脱しない範囲での設計変更などがあっても本考案に含まれる。
【産業上の利用可能性】
【００１９】
本考案は主として空調設備機器の配管装置に関するものである。
【符号の説明】
【００２０】
１０：空調設備機器の配管装置、１１：識別ラベル、１２：識別コード、１３：矢印記号、１４：配管名称、１５：配管、２１：識別ラベル、２２：識別コード、２３：矢印記号、２４：配管名称、２５：表示図面名称
【図１】
0003213299.tif 000003
【図２】
0003213299.tif 000004
【図３】
0003213299.tif 000005